(57)【要約】【課題】ディスプレイの輝度が常時低化することの無いようにディスプレイの加熱保護を行う「ディスプレイシステム」を提供する。【解決手段】ディスプレイ１２３の温度が許容温度より上昇した場合には、空調システム２のセンタ吹出口３から噴出する風が当たる位置に配置されているディスプレイ１２３の輝度を低下させる。暖房時に、ディスプレイ１２３の温度が、センタ吹出口３から空調風を噴出する吹出口モードにあるときにディスプレイ１２３の温度が所定レベル以上上昇したときには、センタ吹出口３から空調風を噴出しない吹出口モードに空調システム２を制御する。【選択図】図４
2019069631.tif 000002
【特許請求の範囲】
【請求項１】
空調風を選択的に噴出する複数の吹出口を備えた空調システムを有する自動車に搭載されるディスプレイシステムであって、
前記複数の吹出口のうちの第１の吹出口から噴出する空調風が当たる位置に配置されたディスプレイと、
前記ディスプレイの温度を検出する温度検出手段と、
前記温度検出手段が検出した温度が所定の温度である第１の温度を超えたときに、前記ディスプレイの輝度を低下する輝度制御手段と、
前記第１の吹出口から空調風が噴出されているときに、少なくとも噴出されている空調風が暖房用の空調風である場合には、前記温度検出手段が検出した温度が所定レベル以上上昇したかどうかを判定し、所定レベル以上上昇したときに、前記第１の吹出口から空調風を噴出しないように前記空調システムを制御する空調風制御手段とを有することを特徴とするディスプレイシステム。
【請求項２】
請求項１記載のディスプレイシステムであって、
前記空調風制御手段は、前記第１の吹出口から空調風が噴出されているときに、少なくとも噴出されている空調風が暖房用の空調風である場合には、前記温度検出手段が検出した温度が所定レベル以上上昇したかどうかを判定し、所定レベル以上上昇したときに、前記第１の吹出口から空調風を噴出せず、前記第１の吹出口と異なる他の噴出口から空調風を噴出するように前記空調システムを制御することを特徴とするディスプレイシステム。
【請求項３】
請求項１または２記載のディスプレイシステムであって、
前記空調風制御手段は、直近の過去所定期間内に前記温度検出手段が検出した温度が予め値より大きく増加したときに、前記温度検出手段が検出した温度が所定レベル以上上昇したと判定することを特徴とするディスプレイシステム。
【請求項４】
請求項１または２記載のディスプレイシステムであって、
前記空調風制御手段は、前記温度検出手段が検出した温度が、予め定めた前記第１の温度と同じもしくは異なる温度である第２の温度を超えたときに、前記温度検出手段が検出した温度が所定レベル以上上昇したと判定することを特徴とするディスプレイシステム。
【請求項５】
請求項１または２記載のディスプレイシステムであって、
前記空調風制御手段は、直近の過去所定期間内に前記温度検出手段が検出した温度が予め値より大きく増加し、かつ、前記温度検出手段が検出した温度が、予め定めた前記第１の温度と同じもしくは異なる温度である第２の温度を超えたときに、前記温度検出手段が検出した温度が所定レベル以上上昇したと判定することを特徴とするディスプレイシステム。
【請求項６】
請求項１、２、３、４または５記載のディスプレイシステムであって、
前記空調システムは、異なる吹出口の組み合わせに各々対応する複数のモードを有すると共に、設定されたモードに対応する組み合わせに含まれる吹出口から空調風を噴出し、
前記空調風制御手段は、前記第１の吹出口が含まれる組み合わせに対応するモードが空調システムに設定されているときに、前記温度検出手段が検出した温度が所定レベル以上上昇したかどうかを判定し、所定レベル以上上昇したときに、前記第１の吹出口が含まれない組み合わせに対応するモードを空調システムに設定することを特徴とするディスプレイシステム。
【請求項７】
請求項１または２記載のディスプレイシステムであって、
前記空調風制御手段は、前記第１の吹出口から空調風を噴出していないときに、前記温度検出手段が検出した温度が、前記第１の温度よりも低い所定の温度である低温側しきい値温度を下回ったときに、前記第１の吹出口から空調風を噴出するように前記空調システムを制御することを特徴とするディスプレイシステム。
【請求項８】
空調風を選択的に噴出する複数の吹出口を備えた空調システムを有する自動車に搭載されるディスプレイシステムであって、
前記複数の吹出口のうちの第１の吹出口から噴出する空調風が当たる位置に配置されたディスプレイと、
前記ディスプレイの温度を検出する温度検出手段と、
前記第１の吹出口から空調風を噴出していないときに、前記温度検出手段が検出した温度が所定の温度を下回ったときに、前記第１の吹出口から空調風を噴出するように前記空調システムを制御する空調風制御手段とを有することを特徴とするディスプレイシステム。
【発明の詳細な説明】
【技術分野】
【０００１】
本発明は、主として、ディスプレイの加熱保護の技術に関するものである。
【背景技術】
【０００２】
ディスプレイの加熱保護の技術としては、ディスプレイの温度上昇に伴ってディスプレイの輝度を段階的に減少させ、ディスプレイの温度上昇を抑制する技術が知られている（たとえば、特許文献１）。
【先行技術文献】
【特許文献】
【０００３】
【特許文献１】特開平１１-２８２４０８号公報
【発明の概要】
【発明が解決しようとする課題】
【０００４】
自動車に搭載されるディスプレイが、自動車の空調設備による空調風が当たる位置に配置される場合が有る。
そして、このような場合において、ユーザが、空調設備を暖房に利用すると、空調設備による温風によってディスプレイの冷却が妨げられ、ディスプレイの温度が常時高温となってしまうことがある。
【０００５】
そして、このような場合には、上述した技術によって、ディスプレイの温度上昇に伴ってディスプレイの輝度を減少させると、常時、ディスプレイの輝度が低く抑えられてしまうことになる。
【０００６】
そこで、本発明は、自動車の空調設備による空調風が当たる位置に配置されたディスプレイの輝度が常時低化することの無いように、ディスプレイの加熱保護を行うことを課題とする
【課題を解決するための手段】
【０００７】
前記課題達成のために、本発明は、空調風を選択的に噴出する複数の吹出口を備えた空調システムを有する自動車に搭載されるディスプレイシステムに、前記複数の吹出口のうちの第１の吹出口から噴出する空調風が当たる位置に配置されたディスプレイと、前記ディスプレイの温度を検出する温度検出手段と、前記温度検出手段が検出した温度が所定の温度である第１の温度を超えたときに、前記ディスプレイの輝度を低下する輝度制御手段と、前記第１の吹出口から空調風が噴出されているときに、少なくとも噴出されている空調風が暖房用の空調風である場合には、前記温度検出手段が検出した温度が所定レベル以上上昇したかどうかを判定し、所定レベル以上上昇したときに、前記第１の吹出口から空調風を噴出しないように前記空調システムを制御する空調風制御手段とを備えたものである。
【０００８】
このようなディスプレイシステムによれば、ディスプレイの温度が、第１の温度を超えた場合には、加熱保護のためにディスプレイの輝度が低化することとなる。しかし、その一方で、前記第１の吹出口から噴出された暖房用の空調風がディスプレイに当たっている状態で、ディスプレイの温度が所定レベル以上上昇すると、前記第１の吹出口からの空調風の噴出は自動的に停止され、空調風によってディスプレイの冷却が妨げられないようになり、ディスプレイの温度が、すみやかに、ディスプレイが正常動作可能な温度範囲内の適当な温度まで低化できるようになる。したがって、ディスプレイの温度が、第１の温度を超え続け、ディスプレイの輝度が常時低化してしまうことを抑制できる。
【０００９】
ここで、このようなディスプレイシステムは、前記空調風制御手段において、前記第１の吹出口から空調風が噴出されているときに、少なくとも噴出されている空調風が暖房用の空調風である場合には、前記温度検出手段が検出した温度が所定レベル以上上昇したかどうかを判定し、所定レベル以上上昇したときに、前記第１の吹出口から空調風を噴出せず、前記第１の吹出口と異なる他の噴出口から空調風を噴出するように前記空調システムを制御するように構成してもよい。
【００１０】
また、このようなディスプレイシステムは、前記空調風制御手段において、直近の過去所定期間内に前記温度検出手段が検出した温度が予め値より大きく増加したときに、前記温度検出手段が検出した温度が所定レベル以上上昇したと判定するように構成してもよい。
【００１１】
または、このようなディスプレイシステムは、前記空調風制御手段において、前記温度検出手段が検出した温度が、予め定めた前記第１の温度と同じもしくは異なる温度である第２の温度を超えたときに、前記温度検出手段が検出した温度が所定レベル以上上昇したと判定するように構成してもよい。
【００１２】
または、このようなディスプレイシステムは、前記空調風制御手段において、直近の過去所定期間内に前記温度検出手段が検出した温度が予め値より大きく増加し、かつ、前記温度検出手段が検出した温度が、予め定めた前記第１の温度と同じもしくは異なる温度である第２の温度を超えたときに、前記温度検出手段が検出した温度が所定レベル以上上昇したと判定するように構成してもよい。
【００１３】
ここで、以上のディスプレイシステムは、前記空調システムを、異なる吹出口の組み合わせに各々対応する複数のモードを有すると共に、設定されたモードに対応する組み合わせに含まれる吹出口から空調風を噴出するものとし、前記空調風制御手段において、前記第１の吹出口が含まれる組み合わせに対応するモードが空調システムに設定されているときに、前記温度検出手段が検出した温度が所定レベル以上上昇したかどうかを判定し、所定レベル以上上昇したときに、前記第１の吹出口が含まれない組み合わせに対応するモードを空調システムに設定するようにしてもよい。
【００１４】
また、以上のディスプレイシステムは、前記空調風制御手段において、前記第１の吹出口から空調風を噴出していないときに、前記温度検出手段が検出した温度が、前記第１の温度よりも低い所定の温度である低温側しきい値温度を下回ったときに、前記第１の吹出口から空調風を噴出するように前記空調システムを制御するように構成してもよい。
【００１５】
また、併せて、本発明は、空調風を選択的に噴出する複数の吹出口を備えた空調システムを有する自動車に搭載されるディスプレイシステムとして、前記複数の吹出口のうちの第１の吹出口から噴出する空調風が当たる位置に配置されたディスプレイと、前記ディスプレイの温度を検出する温度検出手段と、前記第１の吹出口から空調風を噴出していないときに、前記温度検出手段が検出した温度が所定の温度を下回ったときに、前記第１の吹出口から空調風を噴出するように前記空調システムを制御する空調風制御手段とを有するディスプレイシステムを提供する。
【００１６】
このようなディスプレイシステムによれば、所定の温度をディスプレイが正常動作可能な温度範囲の下限もしくはその周辺の温度とすることにより、ディスプレイの温度が、当該所定の温度を下回ったときに、自動的に、空調風をディスプレイに当ててディスプレイを暖め、すみやかに、ディスプレイの温度を正常動作可能な温度範囲内の適当な温度まで上昇させることができる。
【発明の効果】
【００１７】
以上のように、本発明によれば、自動車の空調設備による空調風が当たる位置に配置されたディスプレイの輝度が常時低化することの無いように、ディスプレイの加熱保護を行うことができる。
【図面の簡単な説明】
【００１８】
【図１】本発明の実施形態に係る車載システムの構成を示すブロック図である。
【図２】本発明の実施形態に係るＨＭＩユニットユニットの配置を示すブロック図である。
【図３】本発明の実施形態に係る空調装置の噴出口モードを示す図である。
【図４】本発明の実施形態に係るディスプレイ温度管理処理を示すフローチャートである。
【発明を実施するための形態】
【００１９】
以下、本発明の実施形態について説明する。
図１に、本実施形態に係る車載システム１の構成を示す。
図示するように、車載システム１は、データ処理装置１１を有し、データ処理装置１１は、周辺装置としてＨＭＩユニット１２を備えている。
また、自動車は、空調システム２を備えており、空調システム２は自動車車内の空調を行う空調装置２１と、ユーザから空調に関する設定操作を受け付ける空調スイッチ２２と、空調スイッチ２２の操作に応じて、空調装置２１の動作を制御する空調制御ユニット２３を備えている。
【００２０】
そして、車載システム１のデータ処理装置１１は、空調システム２の空調制御ユニット２３に接続している。
次に、データ処理装置１１は、コンピュータとしての構成を備えており、オペレーティングシステム１１１と、オペレーティングシステム１１１上で稼働するディスプレイ温度管理アプリケーション１１２と、その他のアプリケーション１１３を備えている。そして、ディスプレイ温度管理アプリケーション１１２は、オペレーティングシステム１１１を介して、空調システム２の空調制御ユニット２３を制御することができる。
【００２１】
また、ＨＭＩユニット１２は、タッチパネル１２１、タッチパネル１２１に対するタッチ入力を検出するタッチパネルコントローラ１２２、ディスプレイ１２３、ディスプレイ１２３の表示や輝度を制御するディスプレイコントローラ１２４、ディスプレイ１２３の温度を検出する温度センサ１２５、各種のスイッチ１２６、ユニットコントローラ１２７を一体化したユニットである。
【００２２】
そして、データ処理装置１１のディスプレイ温度管理アプリケーション１１２やアプリケーション１１３は、オペレーティングシステム１１１とユニットコントローラ１２７を介して、タッチパネルコントローラ１２２が検出したタッチ入力を取得したりディスプレイコントローラ１２４を制御してディスプレイ１２３の表示や輝度を制御したり、温度センサ１２５が検出したディスプレイ１２３の温度を取得したり、スイッチ１２６の操作状態を取得したりすることができる。
【００２３】
次に、図２ａに示すように、ＨＭＩユニット１２は平板状の形状を備えており、自動車のダッシュボードの前方に配置され、ディスプレイ１２３の表示方向を自動車の後方に受けた状態でユーザとの間の入出力に使用される。
【００２４】
また、図２ｂに示すように、ＨＭＩユニット１２は、ディスプレイ１２３の表示方向が自動車後方を向く角度から、ディスプレイ１２３の表示方向がおおよそ下方を向く角度まで回転させることができる。
【００２５】
さて、ここで、自動車は、空調装置２１の風が噴出する吹き出し口として、ダッシュボードの中央に配置されたセンタ吹出口、ダッシュボードの左右端に配置されたサイド吹出口、搭乗者の足下に配置された足下吹出口、フロントウインドウに風を噴出するデフロスタ吹出口などの複数の吹出口を備えている。
【００２６】
そして、図２ａ、ｂに示すように、ＨＭＩユニット１２は、センタ吹出口３の前方の、センタ吹出口３から噴出する空調風が当たる位置に配置されている。
次に、空調システム２は、吹出口モードとして、一般的に図３ａのマークで示されるセンタ吹出口３とサイド吹出口から空調風を噴出する上半身モード、一般的に図３ｂのマークで示される足下吹出口から空調風を噴出する足下モード、一般的に図３ｃのマークで示されるセンタ吹出口３とサイド吹出口と足下吹出口から空調風を噴出する車内ミックスモード、一般的に図３ｄのマークで示される足下吹出口とデフロスタ吹出口から空調風を噴出するデフロスタミックスモードなどの複数のモードを備えている。
【００２７】
そして、空調システム２の空調制御ユニット２３は、空調スイッチ２２で設定された吹出口モードで風を噴出するように空調装置２１を制御する。また、空調装置２１は動作モードとして車内の暖房を行う暖房モードと車内の冷房を行う冷房モードを有し、空調制御ユニット２３は、空調スイッチ２２で設定された温度に車内温度が近づくように、空調装置２１の暖房モードと冷房モードの設定や、噴出する風の温度や風量を制御する。
以下、このような構成において、データ処理装置１１のディスプレイ温度管理アプリケーション１１２が行うディスプレイ温度管理処理について説明する。
【００２８】
図４に、このディスプレイ温度管理処理の手順を示す。
図示するように、ディスプレイ温度管理アプリケーション１１２は、ディスプレイ温度管理処理において、温度センサ１２５が検出したディスプレイ１２３の温度TDを取得する（ステップ４０２）。なお、ここで取得したディスプレイ１２３の温度TDは、取得後、時間長ST（STは、たとえば、５分）の期間以上保持する。
【００２９】
そして、現在、空調装置２１が動作中であり、かつ、吹出口モードがセンタ吹出口３を含む吹出口から空調風を噴出するモードであるかどうかを調べ（ステップ４０４）、そうでなければステップ４１４に進む。
【００３０】
ここで、上述した４つの吹出口モードでは、上半身モード、車内ミックスモードがセンタ吹出口３を含む吹出口から空調風を噴出する吹出口モードに該当し、足下モード、デフロスタミックスモードが、センタ吹出口３を含む吹出口から空調風を噴出しない吹出口モードに該当する。
【００３１】
一方、現在、空調装置２１が動作中であり、かつ、吹出口モードがセンタ吹出口３を含む吹出口から空調風を噴出するモードであれば（ステップ４０４）、空調装置２１が暖房モードで動作しており、かつ、過去直近の時間長STの期間に、ディスプレイ１２３の温度TDが１０℃以上増加したかどうかを調べ（ステップ４０６）、空調装置２１が暖房モードで動作してないか、過去直近の時間長STの期間にディスプレイ１２３の温度TDが１０℃以上増加していなければステップ４１４に進む。
なお、過去直近の時間長STの期間に、ディスプレイ１２３の温度TDが１０℃以上増加したかどうかは、保持している過去直近の時間長STの期間中のディスプレイ１２３の温度TDより判定する。
【００３２】
一方、空調装置２１が暖房モードで動作しており、かつ、過去直近の時間長STの期間に、ディスプレイ１２３の温度TDが１０℃以上増加していれば（ステップ４０６）、今回取得したディスプレイ１２３の温度TDが５０℃未満であるかどうかを調べ（ステップ４０８）、５０℃未満であれば、オペレーティングシステム１１１を介して、ユニットコントローラ１２７にディスプレイ１２３の輝度を１００％に制御させ（ステップ４２０）、ステップ４０２からの処理に戻る。
【００３３】
一方、今回取得したディスプレイ１２３の温度TDが５０℃未満でなければ（ステップ４０８）、今回取得したディスプレイ１２３の温度TDが７０℃超であるかどうかを調べる（ステップ４１０）。
【００３４】
そして、今回取得したディスプレイ１２３の温度TDが７０℃超でなければ（ステップ４１０）、オペレーティングシステム１１１を介して空調制御ユニット２３に吹出口モードを、センタ吹出口３を含む吹出口から空調風を噴出しない吹出口モードに変更させ（ステップ４１２）、ステップ４０２からの処理に戻る。
なお、ステップ４１２では、オペレーティングシステム１１１を介して、ユニットコントローラ１２７にディスプレイ１２３の輝度を８０％に制御させる処理も行うようにしてもよい。
【００３５】
一方、今回取得したディスプレイ１２３の温度TDが７０℃超であれば（ステップ４１０）、オペレーティングシステム１１１を介して、空調制御ユニット２３に吹出口モードを、センタ吹出口３を含む吹出口から空調風を噴出しない吹出口モードに変更させると共に、ユニットコントローラ１２７にディスプレイ１２３の輝度を７０％に制御させ（ステップ４２２）、ステップ４０２からの処理に戻る。
【００３６】
次に、上述のようにステップ４０４またはステップ４０６から、ステップ４１４に進んだ場合には、ステップ４１４において、今回取得したディスプレイ１２３の温度TDが１０℃未満であるかどうかを調べ、１０℃未満であれば、オペレーティングシステム１１１を介して、ユニットコントローラ１２７にディスプレイ１２３の輝度を１００％に制御させると共に、空調制御ユニット２３に暖房モードでの空調装置２１の動作の開始と、センタ吹出口３を含む吹出口から空調風を噴出する吹出口モードの設定と、空調装置２１の風量の最大風量への設定を行わせ（ステップ４２４）、ステップ４０２からの処理に戻る。
【００３７】
一方、今回取得したディスプレイ１２３の温度TDが１０℃未満でなければ（ステップ４１４）、今回取得したディスプレイ１２３の温度TDが５０℃未満であるかどうかを調べ（ステップ４１６）、５０℃未満であれば、オペレーティングシステム１１１を介して、ユニットコントローラ１２７にディスプレイ１２３の輝度を１００％に制御させ（ステップ４２６）、ステップ４０２からの処理に戻る。
【００３８】
ここで、ステップ４２６では、前回ステップ４１２、４２２で吹出口モードを変更してから、現在までに空調制御ユニット２３がユーザの空調スイッチ２２による設定操作を受け付けていない場合には、吹出口モードをステップ４１２、４２２で変更する前の吹出口モードに復帰するようにしてもよい。
【００３９】
一方、今回取得したディスプレイ１２３の温度TDが５０℃未満でなければ（ステップ４１６）、今回取得したディスプレイ１２３の温度TDが７０℃超であるかどうかを調べる（ステップ４１８）。
【００４０】
そして、今回取得したディスプレイ１２３の温度TDが７０℃超でなければ（ステップ４１８）、そのままステップ４０２からの処理に戻り、今回取得したディスプレイ１２３の温度TDが７０℃超であれば（ステップ４１８）、ユニットコントローラ１２７にディスプレイ１２３の輝度を７０％に制御させ（ステップ４２８）、ステップ４０２からの処理に戻る。
【００４１】
以上、データ処理装置１１のディスプレイ温度管理アプリケーション１１２が行うディスプレイ温度管理処理について説明した。
このようなディスプレイ温度管理処理によれば、ディスプレイ１２３の温度TDが、ディスプレイ１２３が正常動作可能な温度範囲の高温側の境界の温度（７０℃）を超えた場合には、ディスプレイ１２３の輝度が低化することとなる。
【００４２】
しかし、その一方で、このディスプレイ温度管理処理では、空調装置２１の風がＨＭＩユニット１２に当たっている状態で、ディスプレイ１２３の温度TDが、ディスプレイ１２３が正常動作可能な温度範囲の高温側の境界の温度近くの温度（５０℃）まで上昇すると、空調装置２１の風がＨＭＩユニット１２に当たらない噴出口モードを自動的に設定して、空調装置２１の風によってＨＭＩユニット１２のディスプレイ１２３の冷却が妨げられないようにし、すみやかに、ディスプレイ１２３の温度が許容温度範囲内の適当な温度まで低化するようにする。したがって、ディスプレイ１２３の温度TDが、ディスプレイ１２３が正常動作可能な温度範囲の高温側の境界の温度（７０℃）を超え続け、ディスプレイ１２３の輝度が常時低化してしまうことを抑制できるようになる。
【００４３】
また、このようなディスプレイ温度管理処理によれば、ディスプレイ１２３の温度TDが、ディスプレイ１２３が正常動作可能な温度範囲の低温側の境界の温度またはその近くの温度である所定の温度（１０℃）未満となったときに、自動的に、暖房モードで空調装置２１の動作を開始すると共に、空調装置２１の空調風がＨＭＩユニット１２に当る噴出口モードが設定して、空調装置２１の風によってＨＭＩユニット１２のディスプレイ１２３を暖めるので、すみやかに、過度に低温にあるディスプレイ１２３の温度をディスプレイ１２３が正常動作可能な温度範囲内の適当な温度まで上昇させることができる。
【００４４】
なお、このように、ディスプレイ１２３が低温となったときに、空調装置２１の空調風によってＨＭＩユニット１２のディスプレイ１２３を暖めるのは、低温時の液晶の応答速度低化による残像が表出などの表示品質の劣化を抑制するためである。
【００４５】
以上、本発明の実施形態について説明した。
なお、以上の実施形態におけるディスプレイ温度管理処理では、空調装置２１が動作中であり、かつ、吹出口モードがセンタ吹出口３を含む吹出口から空調風を噴出するモードであり、過去直近の時間長STの期間に、ディスプレイ１２３の温度TDが所定温度（１０℃）以上増加し、今回取得したディスプレイ１２３の温度TDが所定温度（５０℃）以上である場合に、吹出口モードを、センタ吹出口３を含む吹出口から空調風を噴出しない吹出口モードに変更したが、これは、空調装置２１が動作中であり、かつ、吹出口モードがセンタ吹出口３を含む吹出口から空調風を噴出するモードであり、過去直近の時間長STの期間に、ディスプレイ１２３の温度TDが所定温度（１０℃）以上増加したときに、無条件に吹出口モードを、センタ吹出口３を含む吹出口から空調風を噴出しない吹出口モードに変更したり、空調装置２１が動作中であり、かつ、吹出口モードがセンタ吹出口３を含む吹出口から空調風を噴出するモードであり、今回取得したディスプレイ１２３の温度TDが所定温度超である場合に、無条件に吹出口モードを、センタ吹出口３を含む吹出口から空調風を噴出しない吹出口モードに変更するようにしてもよい。
【符号の説明】
【００４６】
１…車載システム、２…空調システム、３…センタ吹出口、１１…データ処理装置、１２…ＨＭＩユニット、２１…空調装置、２２…空調スイッチ、２３…空調制御ユニット、１１１…オペレーティングシステム、１１２…ディスプレイ温度管理アプリケーション、１１３…アプリケーション、１２１…タッチパネル、１２２…タッチパネルコントローラ、１２３…ディスプレイ、１２４…ディスプレイコントローラ、１２５…温度センサ、１２６…スイッチ、１２７…ユニットコントローラ。
【図１】
2019069631.tif 000003
【図２】
2019069631.tif 000004
【図３】
2019069631.tif 000005
【図４】
2019069631.tif 000006